(57)【要約】【課題】本発明は、素早い組立てと取外しが可能で、生産効率を向上させることが出来る、液晶表示器及びその外枠部品を提供する。【解決手段】本発明の外枠部品は、前枠と、後枠とからなる。前枠には、係止部を備えた幾つかの差込部が設けられる。後枠は、第一蓋体と、第二蓋体と、二者の間に設けられた止め板とからなる。第一蓋体・止め板・第二蓋体には、それぞれ幾つかの第一通孔・第二通孔・係止溝が設けられる。更に、差込部を第一通孔・第二通孔・係止溝に順に差し込んでから、止め板をスライドさせて係止部と合わせるとともに、止め板を固定することにより前枠と後枠を互いに固定する。【選択図】図１
2016527538.tif 000002
【特許請求の範囲】
【請求項１】
液晶表示器の外枠部品であって、
前記外枠部品は、前枠と、後枠とからなり、
前記前枠は、第一主体部と、前記第一主体部の辺縁から垂直に延伸した幾つかの差込部とからなり、
前記差込部には、係止部が設けられ、
前記後枠は、第一蓋体と、第二蓋体と、止め板とからなり、
前記止め板は、前記第一蓋体と前記第二蓋体の間に設けられ、
前記第一蓋体と前記第二蓋体には、前記第一蓋体と前記第二蓋体を互いに位置決めするための位置決め機構が設けられ、
前記第一蓋体・前記止め板・前記第二蓋体における前記差込部と対応する位置には、それぞれ幾つかの第一通孔・第二通孔・係止溝が設けられ、
更に、
前記差込部が前記第一通孔・前記第二通孔・前記係止溝に順に挿し込まれた後、
前記止め板は、第一方向へスライドされるとともに、前記差込部が前記後枠から抜け落ちないように、前記止め板は前記係止部と組合され、
加えて、
前記止め板は、前記前枠と前記後枠が互いに固定されるように、前記第一蓋体或は前記第二蓋体に固定されることを特徴とする、液晶表示器の外枠部品。
【請求項２】
前記係止部は、凹状に陥没した凹状溝であることを特徴とする、請求項１に記載の外枠部品。
【請求項３】
前記係止部は、四角形・Ｕ字形・半円形の中のいずれか一つをなすことを特徴とする、請求項２に記載の外枠部品。
【請求項４】
前記止め板は、前記第二通孔を備えた第二主体部と、前記第二主体部の辺縁から前記第一方向へ延伸して設けられた牽引固定部とからなり、
更に、
前記差込部が前記第一通孔・前記第二通孔・前記係止溝に順に挿し込まれた後、前記第一方向へ前記牽引固定部がスライド移動されることにより、前記止め板と前記係止部が係止されることを特徴とする、請求項１に記載の外枠部品。
【請求項５】
更に、前記止め板と前記係止部が係止された後、
前記牽引固定部は、前記第二蓋体の外側に折り畳まれるとともに前記第二蓋体に固定されることを特徴とする、請求項３に記載の外枠部品。
【請求項６】
前記牽引固定部上には、一つ或は複数個の通孔が設けられることを特徴とする、請求項５に記載の外枠部品。
【請求項７】
前記第二蓋体には、前記第一方向に沿って誘導凸線状体が設けられ、
前記止め板における前記誘導凸線状体と対応する位置には、スライド溝が設けられ、
前記止め板が前記第二蓋体の前記第一方向へスライド移動された時に、前記第一方向と垂直を呈する第二方向への位置ズレが生じることを防ぐために、前記スライド溝の長さは、前記誘導凸線状体よりも長く設けられることを特徴とする、請求項１に記載の外枠部品。
【請求項８】
前記位置決め機構は、前記第一蓋体と前記第二蓋体の二者の中の一つに設けられた凸状台と、二者の中のもう一つに設けられた位置決め凹状溝とからなり、
前記凸状台と前記位置決め凹状溝が組合されることにより、前記第一方向と前記第二方向において、前記第一蓋体と前記第二蓋体が互いに固定されることを特徴とする、請求項１に記載の外枠部品。
【請求項９】
表示パネルと、バックライトモジュールと、外枠部品とからなる、液晶表示器であって、
前記外枠部品は、前枠と、後枠とからなり、
前記前枠は、第一主体部と、前記第一主体部の辺縁から延伸した幾つかの差込部とからなり、
前記差込部には、係止部が設けられ、
前記後枠は、第一蓋体と、第二蓋体と、止め板とからなり、
前記止め板は、前記第一蓋体と前記第二蓋体の間に設けられ、
前記第一蓋体と前記第二蓋体には、前記第一蓋体と前記第二蓋体を互いに位置決めするための位置決め機構が設けられ、
前記第一蓋体・前記止め板・前記第二蓋体における前記差込部と対応する位置には、それぞれ幾つかの第一通孔・第二通孔・係止溝が設けられ、
更に、
前記第二蓋体・前記止め板・前記第一蓋体・前記バックライトモジュール・前記表示パネル・前記前枠が順に重ねられた後、
前記差込部は、前記第一通孔・前記第二通孔・前記係止溝に順に挿し込まれ、
前記止め板は、第一方向へスライドされるとともに、前記差込部が前記後枠から抜け落ちないように、前記止め板は前記係止部と組合され、
加えて、
前記止め板は、前記表示パネルと前記バックライトモジュールが前記外枠部品の中に固定されるように、ネジによって前記バックライトモジュールの裏板に固定されることを特徴とする、液晶表示器。
【請求項１０】
前記止め板は、前記第二通孔を備えた第二主体部と、前記第二主体部の辺縁から前記第一方向へ延伸して設けられた牽引固定部とからなり、
更に、
前記差込部が前記第一通孔・前記第二通孔・前記係止溝に順に挿し込まれた後、前記第一方向へ前記牽引固定部がスライド移動されることにより、前記止め板と前記係止部が係止されることを特徴とする、請求項９に記載の液晶表示器。
【請求項１１】
更に、前記止め板と前記係止部が係止された後、
前記牽引固定部は、前記第二蓋体の外側に折り畳まれるとともに前記ネジによって前記バックライトモジュールの裏板に固定されることを特徴とする、請求項１０に記載の液晶表示器。
【請求項１２】
前記係止部は、凹状に陥没した凹状溝であることを特徴とする、請求項９に記載の液晶表示器。
【請求項１３】
前記係止部は、四角形・Ｕ字形・半円形の中のいずれか一つをなすことを特徴とする、請求項１２に記載の液晶表示器。
【請求項１４】
前記牽引固定部上には、一つ或は複数個の通孔が設けられ、
前記裏板における前記通孔と対応する位置には、一つ或は複数個のネジ穴が設けられ、
前記ネジは、前記通孔に貫設されてから前記ネジ穴にネジ止めされることを特徴とする、請求項９に記載の外枠部品。
【請求項１５】
前記第二蓋体には、前記第一方向に沿って誘導凸線状体が設けられ、
前記止め板における前記誘導凸線状体と対応する位置には、スライド溝が設けられ、
前記止め板が前記第二蓋体の前記第一方向へスライド移動された時に、前記第一方向と垂直を呈する第二方向への位置ズレが生じることを防ぐために、前記スライド溝の長さは、前記誘導凸線状体よりも長く設けられることを特徴とする、請求項９に記載の液晶表示器。
【発明の詳細な説明】
【技術分野】
【０００１】
本発明は、液晶表示の技術に関し、特に、液晶表示器及びその外枠部品に関する。
【背景技術】
【０００２】
液晶ディスプレイ（Ｌｉｑｕｉｄ  Ｃｒｙｓｔａｌ  Ｄｉｓｐｌａｙ，ＬＣＤ）は、機械本体が薄い・省エネである・放射性が低い等の多くの長所を備えており、冷陰極管ディスプレイやプラズマディスプレイ等に代わって広く用いられている。
【０００３】
液晶表示器は、液晶表示パネルと、バックライトモジュールと、外枠とからなる。このうち、外枠は、前枠と、後枠とからなるとともに、前枠と後枠の中のいずれか一つにおける側面周囲には幾つかの通孔が設けられ、もう一つの側面周囲には幾つかのネジ穴が設けられる。液晶表示パネルとバックライトモジュールは、重ねられた後、液晶表示パネルの側面及びバックライトモジュールの側面から、前枠及び後枠がそれぞれ組合されて、二者の側面が互いに重ね合わされるとともに通孔とネジ穴が互いにぴったりと合わされる。更に、ネジが通孔に貫設されてからネジ穴に挿し込まれることにより、前枠と後枠が対応して固定される。また同時に、液晶表示パネルとバックライトモジュールは、外枠によって固定される。
【０００４】
しかし、上述した組立て工程では、大量のネジを挿し込まなければならず、より多くの人的・時間的コストを要することになり、生産効率の低下等の弊害を招いてしまう。
【発明の概要】
【発明が解決しようとする課題】
【０００５】
上記の問題に鑑み、本発明は、素早い組立てが可能な、液晶表示器及びその外枠部品を提供することを目的とする。
【課題を解決するための手段】
【０００６】
上述の目的を達成するために、本発明が提供する液晶表示器の外枠部品は、前枠と、後枠とからなる。前枠は、第一主体部と、第一主体部の辺縁から垂直に延伸した幾つかの差込部とからなり、差込部には、係止部が設けられる。後枠は、第一蓋体と、第二蓋体と、止め板とからなるとともに、止め板は第一蓋体と第二蓋体の間に設けられる。第一蓋体と第二蓋体には、第一蓋体と第二蓋体を互いに位置決めするための位置決め機構が設けられる。第一蓋体・止め板・第二蓋体における差込部と対応する位置には、それぞれ幾つかの第一通孔・第二通孔・係止溝が設けられる。差込部を第一通孔・第二通孔・係止溝に順に挿し込んだ後、第一方向に沿って止め板をスライド移動させることにより、止め板と係止部が合わされて、差込部が後枠から抜け落ちることが防止される。更に、止め板を第一蓋体或は第二蓋体に固定することにより、前枠と後枠が互いに固定される。
【０００７】
このうち、係止部は、凹状に陥没した凹状溝である。
【０００８】
更に、係止部は、四角形・Ｕ字形・半円形の中のいずれか一つをなす。
【０００９】
更に、止め板は、第二通孔を備えた第二主体部と、第二主体部の辺縁から第一方向に沿って延伸して設けられた牽引固定部とからなる。差込部を第一通孔・第二通孔・係止溝に順に挿し込んだ後、第一方向に沿って牽引固定部をスライドさせることで、止め板と係止部が係止される。
【００１０】
更に、止め板と係止部が係止された後、牽引固定部は、第二蓋体の外側に折り畳まれるとともに第二蓋体に固定される。
【００１１】
更に、牽引固定部には、一つ或は複数個の通孔が設けられる。
【００１２】
更に、第二蓋体には、第一方向に沿って誘導凸線状体が設けられ、止め板の対応する位置には、スライド溝が設けられる。スライド溝は、誘導凸線状体よりも長いため、止め板が第二蓋体の第一方向へスライドされた時に、第一方向と垂直を呈する第二方向への位置ズレが生じることが防止される。
【００１３】
更に、位置決め機構は、第一蓋体と第二蓋体の二者の中の一つに設けられた凸状台と、二者の中のもう一つに設けられた位置決め凹状溝とからなる。凸状台と位置決め凹状溝が合わされることにより、第一方向と第二方向において、第一蓋体と第二蓋体が互いに固定される。
【００１４】
また、上述の目的を達成するために、本発明が提供する液晶表示器は、表示パネルと、バックライトモジュールと、外枠部品とからなる。外枠部品は、前枠と、後枠とからなる。前枠は、第一主体部と、第一主体部の辺縁から延伸した幾つかの差込部とからなり、差込部には、係止部が設けられる。後枠は、第一蓋体と、第二蓋体と、止め板とからなるとともに、止め板は第一蓋体と第二蓋体の間に設けられる。第一蓋体と第二蓋体には、第一蓋体と第二蓋体を互いに位置決めするための位置決め機構が設けられる。第一蓋体・止め板・第二蓋体における差込部と対応する位置には、それぞれ幾つかの第一通孔・第二通孔・係止溝が設けられる。更に、第二蓋体・止め板・第一蓋体・バックライトモジュール・表示パネル・前枠を順に重ね合わせた後、差込部を第一通孔・第二通孔・係止溝に順に挿し込むとともに、第一方向に沿って止め板をスライドさせることにより、止め板と係止部が合わされて差込部が後枠から抜け落ちることを防止する。加えて、止め板をネジによってバックライトモジュールの裏板に固定することにより、表示パネルとバックライトモジュールが外枠部品の中に固定される。
【００１５】
このうち、止め板は、第二通孔を備えた第二主体部と、第二主体部の辺縁から第一方向へ延伸して設けられた牽引固定部とからなる。差込部を第一通孔・第二通孔・係止溝に順に挿し込んだ後、第一方向へ牽引固定部をスライドさせることで、止め板と係止部が係止される。
【００１６】
更に、止め板と係止部が係止された後、牽引固定部は、第二蓋体の外側に折り畳まれるとともにネジによってバックライトモジュールの裏板に固定される。
【００１７】
更に、係止部は、凹状に陥没した凹状溝である。
【００１８】
更に、係止部は、四角形・Ｕ字形・半円形の中のいずれか一つをなす。
【００１９】
更に、牽引固定部には、一つ或は複数個の通孔が設けられ、裏板における通孔と対応する位置には、一つ或は複数個のネジ穴が設けられるとともに、ネジが通孔に貫設されてからネジ穴にネジ止めされる。
【００２０】
更に、第二蓋体には、第一方向に沿って誘導凸線状体が設けられ、止め板の対応する位置には、スライド溝が設けられる。スライド溝は、誘導凸線状体よりも長いため、止め板が第二蓋体の第一方向へスライドされた時に、第一方向と垂直を呈する第二方向への位置ズレが生じることが防止される。
【発明の効果】
【００２１】
上述の構造によってなる本発明は、従来技術と比較して、以下の効果を備える。即ち、本発明の液晶表示器において、外枠部品の前枠には係止部を備えた幾つかの差込部が設けられ、後枠は第一蓋体と第二蓋体と二者の間に設けられた止め板とからなり、第一蓋体と第二蓋体は位置決め機構によって互いに位置決めされ、第一蓋体・止め板・第二蓋体における差込部と対応する位置にはそれぞれ第一通孔・第二通孔・係止溝が設けられる。更に、前枠と後枠を重ね合わせた時、差込部が第一通孔・第二通孔・係止溝に順に挿し込まれ、この時、第一方向に沿って止め板をスライドさせれば、止め板が差込部の係止部に係止される。続いて、止め板を第一蓋体或は第二蓋体に固定することにより、前枠と後枠が互いに固定される。このように、組立て工程が簡単である。加えて、外枠部品を取外す必要がある時には、止め板を第一蓋体或は第二蓋体から外すとともに第一方向の反対方向へ止め板を押し動かすだけで、前枠を後枠から取外すことが出来るため、取外し工程も非常に簡単である。以上のように、本発明における液晶表示器の外枠部品は、素早い組立てと取外しが可能であるため、生産効率を向上させることが出来る。
【図面の簡単な説明】
【００２２】
【図１】本発明の液晶表示器の斜視分解図である。
【図２】図１に示した液晶表示器の外枠部品の斜視分解図である。
【図３】図１に示した液晶表示器の外枠部品の別の角度における斜視分解図である。
【図４】図１に示した液晶表示器において止め板が第一蓋体或は第二蓋体に固定される前の概略図である。
【図５】図４に示した液晶表示器の組立て完成後の概略図である。
【発明を実施するための形態】
【００２３】
以下では、図、及び実施例により、本発明の詳細について説明する。
【００２４】
図１から図５までを参照する。本発明の液晶表示器は、外枠部品１０と、表示パネル２０と、バックライトモジュール３０とからなる。
【００２５】
外枠部品１０は、前枠１１と後枠１２とからなる。
【００２６】
前枠１１は、第一主体部１１１と、幾つかの差込部１１４とからなる。第一主体部１１１は、開口（図示せず）を備えた頂面１１２と、頂面１１２の辺縁から垂直に延伸し且つ始端と終端がつながった複数個の側壁１１３とからなる。差込部１１４は、側壁１１３の底部辺縁から延伸して設けられる。差込部１１４には、係止部１１５が設けられる。係止部１１５は、凹状に陥没した凹状溝であるとともに、係止部１１５の形状は四角形・Ｕ字形・半円形等をなす。
【００２７】
本実施例において、第一主体部１１１の頂面１１２は、四角形の頂面であり、側壁１１３は四つ設けられる。側壁１１３には、いずれも差込部１１４が設けられる。尚、側壁１１３にそれぞれ設けられた差込部１１４の個数は、本発明の明細書及び図によって制限されるものではない。実際の使用において、液晶表示器のサイズが比較的小さめの場合は、相対する一組の側壁１１３上、或は、三つの側壁１１３上に、差込部１１４が設けられることも可能である。
【００２８】
後枠１２は、第一蓋体１２１と、第二蓋体１２２と、第一蓋体１２１と第二蓋体１２の間に設けられた止め板１２３とからなる。第一蓋体１２１と第二蓋体１２２の形状は、前枠１１の頂面とほぼ同等である。止め板１２３は、第一蓋体１２１或は第二蓋体１２２よりもやや小さめの第二主体部１２３１と、第二主体部１２３１の一端から延伸した牽引固定部１２３２とからなる。牽引固定部１２３２には、一つ或は複数個の通孔１２３５が設けられる。牽引固定部１２３２と第二主体部１２３１は、同一平面上に設けられる。尚、以下での説明を記述しやすくするため、牽引固定部１２３２の延伸方向を第一方向Ｘと定義する。
【００２９】
第一蓋体１２１・止め板１２３・第二蓋体１２２における差込部１１４と対応する位置には、それぞれ幾つかの第一通孔１２１１・第二通孔１２３３・係止溝１２２２が設けられる。また、第一蓋体１２１と第二蓋体１２２には、第一蓋体１２１と第二蓋体１２２を互いに位置決めするための位置決め機構が設けられる。本実施例において、位置決め機構は、第一蓋体１２１に設けられた凸状台１２１２と、第二蓋体１２２に設けられた位置決め凹状溝１２２１とからなる。実際の使用において、位置決め機構は、第一蓋体１２１に設けられた位置決め凹状溝と、第二蓋体１２２に設けられた凸状台とからなることも可能である。位置決め凹状溝１２２１と凸状台１２１２が合わされることにより、第一蓋体１２１或は第二蓋体１２２の頂面方向、及び位置決め凹状溝と凸状台の延伸方向において、第一蓋体１２１と第二蓋体１２２の位置ズレが生じないようにすることが出来る。
【００３０】
第一蓋体１２１と第二蓋体１２２が凸状台と位置決め凹状溝によって互いに合わされた後、第一蓋体１２１と第二蓋体１２２の間に位置する止め板１２３は、第一蓋体１２１と第二蓋体１２２の間において第一方向Ｘの方向へ平行移動することが可能となる。このうち、止め板１２３の第二主体部１２３１における第一方向Ｘに沿った部分のサイズは、第一蓋体１２１と第二蓋体１２２よりも小さい。
【００３１】
止め板１２３が第一方向Ｘと垂直を呈する第二方向Ｙ上において第一蓋体１２１或は第二蓋体１２２との間に位置ズレを生じないようにするために、第二蓋体１２２の第一方向Ｘにおける相対する両辺上には誘導凸線状体１２２３が設けられ、止め板１２３の対応する位置にはスライド溝１２３４が設けられることが望ましい。またスライド溝１２３４は、誘導凸線状体１２２３よりも短い。第二蓋体１２２・止め板１２３・第一蓋体１２１が順に重ねられて、係止溝１２２２・第二通孔１２３３・第一通孔１２１１の中心がぴったりと合わせられた時、誘導凸線状体１２２３はスライド溝１２３４の中に位置することになり、且つスライド溝１２３４における牽引固定部１２３２から離れた方の一端には隙間が残される。これにより作業者は、第一方向Ｘへ牽引固定部１２３２をスライド移動させることが可能になる。
【００３２】
表示パネル２０とバックライトモジュール３０は、前枠１１の頂面１１２と側壁１１３とによって形成されたスペースに収容される。バックライトモジュール３０の裏板３１には、牽引固定部１２３２の通孔１２３５と対応する一つ或は複数個のネジ穴（図示せず）が設けられる。
【００３３】
液晶表示器の組立て工程について説明する。まず、第二蓋体１２２・止め板１２３・第一蓋体１２１・バックライトモジュール３０・表示パネル２０・前枠１１を、順に重ねる。この時、止め板１２３のスライド溝１２３４は第二蓋体１２２の誘導凸線状体１２２３上に嵌められ、牽引固定部１２３２は第一蓋体１２１と第二蓋体１２２の外側に突出し、第一蓋体１２１の凸状台１２１２は第二蓋体１２２の位置決め凹状溝１２２１の中に挿し込まれ、第一通孔１２１１と第二通孔１２３３と係止溝１２２２はぴったりと合わせられ、差込部１１４は第一通孔１２１１・第二通孔１２３３・係止溝１２２２に順に挿し込まれる。次に、第一方向Ｘに沿って止め板１２３をスライドさせることにより、止め板１２３の第二通孔１２３３が第一方向Ｘに沿って平行移動し、第二通孔１２２３の辺縁が係止部１１５の凹溝内に嵌め入れられ、これにより、差込部が後枠１２から抜け落ちることが防止される。更に、止め板１２３の牽引固定部１２３２を第二蓋体１２２の外側まで折り曲げて、牽引固定部１２３２の通孔１２３５と裏板３１のネジ穴をぴったりと合わせるとともに、ネジ１２４を通孔１２３５と裏板３１のネジ穴に挿し込んでネジ止めする。以上により、液晶表示器の組立て工程が完了し、表示パネル２０とバックライトモジュール３０が外枠部品１０に固定される。
【００３４】
前述した実施例において、牽引固定部１２３２は、最終的に第二蓋体１２２の外側に折り曲げられるとともに、ネジ１２４によってバックライトモジュール３０の裏板３１にしっかりとネジ止めされる。実際の使用において、牽引固定部１２３２はネジによって第二蓋体１２２に固定されるか、或は、牽引固定部１２３２は第一蓋体１２１の外側に折り畳まれるとともにネジによって第一蓋体１２１或は前枠１１にしっかりとネジ止めされることも可能である。牽引固定部１２３２は、最終的に前枠１１・第一蓋体１２１・第二蓋体１２２・裏板３１の中のいずれか一つに固定されるが、いずれの場合においても、止め板１２３は第一蓋体１２１或は第二蓋体１２２と対応して固定されるとともに、前枠１１・後枠１２・表示パネル２０・バックライトモジュール３０は一つの有機的な統一体を形成する。
【００３５】
従来技術と比較して、本発明の液晶表示器は、以下の特長を備える。即ち、外枠部品１０の前枠１１には係止部１１５を備えた幾つかの差込部１１４が設けられ、後枠１２は第一蓋体１２１と第二蓋体１２２と二者の間に設けられた止め板１２３とからなり、第一蓋体１２１と第二蓋体１２２は位置決め機構によって互いに位置決めされ、第一蓋体１２１・止め板１２３・第二蓋体１２２における差込部１１４と対応する位置にはそれぞれ第一通孔１２１１・第二通孔１２３３・係止溝１２２２が設けられる。更に、前枠１１と後枠１２が重ね合わされた時、差込部１１４は、第一通孔１２１１・第二通孔１２３３・係止溝１２２２に順に挿し込まれる。この時、第一方向Ｘに沿って止め板１２３をスライドさせれば、止め板１２３が差込部１１４の係止部１１５に係止される。続いて、止め板１２３を第一蓋体１２１或は第二蓋体１２２に固定することにより、前枠１１と後枠１２が互いに固定される。このように、組立て工程が簡単である。加えて、外枠部品１０を取外す必要がある時、止め板１２３を第一蓋体１２１或は第二蓋体１２２から外すとともに第一方向Ｘの反対方向へ止め板１２３を押し動かすだけで、前枠１１を後枠１２から取外すことが出来る。よって、取外し工程も非常に簡単である。以上のように、本発明の液晶表示器の外枠部品は、素早い組立てと取外しが可能であるため、生産効率を向上させることが出来る。
【００３６】
以上の記述は、本発明の実施例の一つであり、これによって本発明の請求範囲を制限するものではない。本発明の明細書及び図の内容を利用してなされた同等の効果を持つ構造や工程についての変更、或は、他の関連技術における直接的・間接的な運用は、いずれも本発明の特許保護の範囲内に含まれる。
【符号の説明】
【００３７】
１０          外枠部品
１１          前枠
１１１        第一主体部
１１２        頂面
１１３        側壁
１１４        差込部
１１５        係止部
１２          後枠
１２１        第一蓋体
１２１１      第一通孔
１２１２      凸状台
１２２        第二蓋体
１２２１      位置決め凹状溝
１２２２      係止溝
１２２３      誘導凸線状体
１２３        止め板
１２３１      第二主体部
１２３２      牽引固定部
１２３３      第二通孔
１２３４      スライド溝
１２３５      通孔
１２４        ネジ
２０          表示パネル
３０          バックライトモジュール
３１          裏板
【図１】
2016527538.tif 000003
【図２】
2016527538.tif 000004
【図３】
2016527538.tif 000005
【図４】
2016527538.tif 000006
【図５】
2016527538.tif 000007
【国際調査報告】
2016527538.tif 000008
2016527538.tif 000009
2016527538.tif 000010
2016527538.tif 000011